(57)【特許請求の範囲】
【請求項１】
貯蔵物を冷蔵保存する冷蔵区画と前記冷蔵区画よりも低温の低温区画とを有して前記低温区画を底部に配した冷蔵室と、前記冷蔵室の下方に隣接して貯蔵物を冷凍保存する冷凍室と、冷凍サイクルを運転する圧縮機と、前記圧縮機に接続して冷気を生成する冷却器と、前記冷却器が配されるとともに前記冷凍室に臨む第１吐出口を有する第１冷気通路と、前記第１冷気通路に連通して前記冷蔵区画に臨む第２吐出口を有する第２冷気通路と、前記第１冷気通路と前記第２冷気通路との間に設けられて開閉動作するダンパと、前記第２冷気通路から分岐して前記低温区画に臨む第３吐出口を有する第３冷気通路と、前記第１冷気通路に配される第１送風機と、前記第３冷気通路の前記第３吐出口に吸気側を向けて配される第２送風機とを備え、前記ダンパを開いた際または前記ダンパを閉じた際の前記第２送風機の駆動状態を前記低温区画の設定温度に応じて可変したことを特徴とする冷蔵庫。
【請求項２】
貯蔵物を冷蔵保存する冷蔵区画と前記冷蔵区画よりも低温の低温区画とを有して前記低温区画を底部に配した冷蔵室と、前記冷蔵室の下方に隣接して貯蔵物を冷凍保存する冷凍室と、冷凍サイクルを運転する圧縮機と、前記圧縮機に接続して冷気を生成する冷却器と、前記冷却器が配されるとともに前記冷凍室に臨む第１吐出口を有する第１冷気通路と、ダンパを介して前記第１冷気通路に連通して前記冷蔵区画に臨む第２吐出口を有する第２冷気通路と、前記第２冷気通路から分岐して前記低温区画に臨む第３吐出口を有する第３冷気通路と、前記第１冷気通路に配される第１送風機と、前記第３冷気通路に吸気側を前記低温区画に向けて配される第２送風機とを備え、前記ダンパを開いた際または前記ダンパを閉じた際の前記第２送風機の駆動状態を前記低温区画の設定温度に応じて可変し、
前記ダンパを閉じた際に前記第２送風機を所定風量で駆動するとともに開いた際に前記第２送風機を前記所定風量よりも低い風量で駆動する第１冷却モードと、前記ダンパを閉じた際に前記第２送風機を前記所定風量よりも低い風量で駆動するとともに開いた際に第２送風機を前記所定風量よりも低い風量で駆動または停止する第２冷却モードとを備えたことを特徴とする冷蔵庫。
【請求項３】
前記第１冷却モード時に前記ダンパを閉じた時に前記第２送風機を停止し、所定の遅延期間が経過した後に前記第２送風機を前記所定風量に切り替えることを特徴とする請求項２に記載の冷蔵庫。
【請求項４】
前記第２冷却モード時に前記ダンパを閉じた時に前記第２送風機を停止し、所定の遅延期間が経過した後に前記第２送風機を前記所定風量で駆動し、所定時間経過後に前記所定風量よりも低い風量に切り替えることを特徴とする請求項２または請求項３に記載の冷蔵庫。
【請求項５】
前記第１冷却モード及び前記第２冷却モード時に前記ダンパを開いた状態が所定時間継続するとともに前記ダンパを閉じる温度に対して高温の所定温度よりも前記冷蔵区画が低温の場合に、前記ダンパを所定時間閉じて前記第２送風機を駆動したことを特徴とする請求項２または請求項３に記載の冷蔵庫。
【発明の詳細な説明】
【技術分野】
【０００１】
本発明は冷蔵室内に低温区画を設けた冷蔵庫に関する。
【背景技術】
【０００２】
従来の冷蔵庫は特許文献１に開示されている。この冷蔵庫は冷蔵室と、断熱壁を介して冷蔵室の下方に隣接する冷凍室とを備えている。冷蔵室内は区画され、冷蔵区画を上部に形成して冷蔵区画よりも低温の低温区画（チルド室）を底部に形成する。冷凍室及び冷蔵室の背面にはそれぞれ第１、第２冷気通路が配される。冷凍室の背面の第１冷気通路は冷凍室に臨む第１吐出口を有し、圧縮機に接続された冷却器及び冷凍室送風機が配される。冷蔵室の背面の第２冷気通路はダンパを介して第１冷気通路に連通し、冷蔵区画及び低温区画にそれぞれ臨む第２吐出口及び第３吐出口を有して冷蔵室送風機が配される。
【０００３】
冷凍室が上限温度を超えると圧縮機及び冷凍室送風機を駆動し、冷却器により生成された冷気が第１吐出口を介して冷凍室に吐出される。これにより、冷凍室が冷却され、冷凍室が下限温度まで降温されると圧縮機及び冷凍室送風機が停止される。
【０００４】
また、圧縮機の駆動中に冷蔵室が上限温度を超えるとダンパが開かれ、冷却器により生成された冷気が第２吐出口及び第３吐出口を介して冷蔵室に吐出される。これにより、冷蔵室が冷却され、冷蔵室が下限温度まで降温されるとダンパが閉じられる。この時、チルド室は冷却器に近いため冷蔵区画よりも低温の冷気が吐出されるとともに、隣接する冷凍室の冷熱が供給される。これにより、冷蔵区画が冷蔵温度に維持され、低温区画のチルド室が冷蔵区画よりも低温に維持される。
【先行技術文献】
【特許文献】
【０００５】
【特許文献１】特開２０１５−１４４５２号公報（第５頁〜第１５頁、第３図）
【発明の概要】
【発明が解決しようとする課題】
【０００６】
上記従来の冷蔵庫によると、チルド室の設定温度が一定であるため、チルド室に貯蔵される貯蔵物が制限される。このため、複数の設定温度に変更できる区画を設けて貯蔵スペースを有効利用できる冷蔵庫に対する市場要求が高くなっている。
【０００７】
このような要求に対し、チルド室に供給される冷気の経路上にダンパを設けてチルド室の温度を監視し、チルド室に対して冷蔵区画とは独立に冷気を供給することが考えられる。しかしながら、この構成によると、構造が複雑になるとともに部品点数が増加し、冷蔵庫のコストが増大する問題があった。
【０００８】
本発明は、簡単な構成で冷蔵室内の低温区画の設定温度を変更し、利便性を向上できる冷蔵庫を提供することを目的とする。
【課題を解決するための手段】
【０００９】
上記目的を達成するために本発明は、貯蔵物を冷蔵保存する冷蔵区画と前記冷蔵区画よりも低温の低温区画とを有して前記低温区画を底部に配した冷蔵室と、前記冷蔵室の下方に隣接して貯蔵物を冷凍保存する冷凍室と、冷凍サイクルを運転する圧縮機と、前記圧縮機に接続して冷気を生成する冷却器と、前記冷却器が配されるとともに前記冷凍室に臨む第１吐出口を有する第１冷気通路と、ダンパを介して第１冷気通路に連通して前記冷蔵区画に臨む第２吐出口を有する第２冷気通路と、第２冷気通路から分岐して前記低温区画に臨む第３吐出口を有する第３冷気通路と、第１冷気通路に配される第１送風機と、第３冷気通路に吸気側を前記低温区画に向けて配される第２送風機とを備え、前記ダンパを開いた際または前記ダンパを閉じた際の第２送風機の駆動状態を前記低温区画の設定温度に応じて可変したことを特徴としている。
【００１０】
この構成によると、圧縮機及び第１送風機が駆動されると、冷却器により生成された冷気が第１冷気通路を流通して第１吐出口から冷凍室に吐出される。ダンパが開かれると第２冷気通路及び第３冷気通路を流通する冷気が第２吐出口及び第３吐出口からそれぞれ冷蔵区画及び低温区画に吐出される。この時、第２送風機が駆動されると第３冷気通路から低温区画への冷気流入が抑制される。また、ダンパを閉じた際に第２送風機が駆動されると、低温区画の冷気が第３吐出口から流出して第２吐出口から冷蔵区画に吐出され、冷蔵区画を流通して低温区画に戻る。
【００１１】
また本発明は、上記構成の冷蔵庫において、前記ダンパを閉じた際に第２送風機を所定風量で駆動するとともに開いた際に第２送風機を前記所定風量よりも低い風量で駆動する第１冷却モードと、前記ダンパを閉じた際に第２送風機を前記所定風量よりも低い風量で駆動するとともに開いた際に第２送風機を前記所定風量よりも低い風量で駆動または停止する第２冷却モードとを備えたことを特徴としている。
【００１２】
また本発明は、上記構成の冷蔵庫において、前記ダンパを閉じた際及び開いた際に第２送風機を停止する第３冷却モードを備えたことを特徴としている。
【００１３】
また本発明は、上記構成の冷蔵庫において、第１冷却モード時に前記ダンパを閉じた時に第２送風機を停止し、所定の遅延期間が経過した後に第２送風機を前記所定風量に切り替えることを特徴としている。
【００１４】
また本発明は、上記構成の冷蔵庫において、第２冷却モード時に前記ダンパを閉じた時に第２送風機を停止し、所定の遅延期間が経過した後に第２送風機を前記所定風量で駆動し、所定時間経過後に前記所定風量よりも低い風量に切り替えることを特徴としている。
【００１５】
また本発明は、上記構成の冷蔵庫において、前記ダンパを閉じてから前記冷蔵区画が前記ダンパを開く温度よりも低温の所定温度に昇温されるまでを前記遅延期間にしたことを特徴としている。
【００１６】
また本発明は、上記構成の冷蔵庫において、第１冷却モード及び第２冷却モード時に前記ダンパを開いた状態が所定時間継続するとともに前記ダンパを閉じる温度に対して高温の所定温度よりも前記冷蔵区画が低温の場合に、前記ダンパを所定時間閉じて第２送風機を駆動したことを特徴としている。
【発明の効果】
【００１７】
本発明によると、第２冷気通路から分岐して低温区画に臨む第３吐出口を有した第３気通路に第２送風機が吸気側を低温区画に向けて配され、ダンパを開いた際またはダンパを閉じた際の第２送風機の駆動状態が低温区画の設定温度に応じて可変される。これにより、簡単な構成で低温区画を複数の設定温度に切り替えることができ、冷蔵庫の利便性を向上することができる。
【図面の簡単な説明】
【００１８】
【図１】本発明の第１実施形態の冷蔵庫を示す正面断面図
【図２】本発明の第１実施形態の冷蔵庫を示す側面断面図
【図３】本発明の第１実施形態の冷蔵庫の構成を示すブロック図
【図４】本発明の第１実施形態の冷蔵庫の第１冷却モードの動作を示すタイムチャート
【図５】本発明の第１実施形態の冷蔵庫の第２冷却モードの動作を示すタイムチャート
【図６】本発明の第１実施形態の冷蔵庫の第３冷却モードの動作を示すタイムチャート
【図７】本発明の第２実施形態の冷蔵庫の第１冷却モードの動作を示すタイムチャート
【図８】本発明の第２実施形態の冷蔵庫の第２冷却モードの動作を示すタイムチャート
【発明を実施するための形態】
【００１９】
＜第１実施形態＞
以下に図面を参照して本発明の実施形態を説明する。図１、図２は第１実施形態の冷蔵庫を示す正面図及び側面断面図である。冷蔵庫１は断熱箱体２の上方から順に冷蔵室３、冷凍室４、野菜室５が設けられる。冷蔵室３と冷凍室４との間は断熱壁１７により仕切られ、冷凍室４と野菜室５との間は断熱壁１８により仕切られる。
【００２０】
冷蔵室３は一端を枢支される回動式の扉３ａによって開閉され、冷蔵室３内には貯蔵物を載置する複数の載置棚３ｂが配される。最下段の載置棚３ｂの下方は縦仕切壁３ｃにより左右に仕切られる。縦仕切壁３ｃにより仕切られた一方にはカバー２２ａにより前面を覆われた低温区画２２が形成される。これにより、冷蔵室３内は貯蔵物を冷蔵保存する冷蔵区画２１と、冷蔵室３の底部に配して冷蔵区画２１よりも低温に維持される低温区画２２とに区画される。
【００２１】
冷凍室４は収納ケース４ｂと一体に形成される引出式の扉４ａによって開閉され、貯蔵物を冷凍保存する。野菜室５は収納ケース５ｂと一体に形成される引出式の扉５ａによって開閉され、冷蔵室３よりも高温に維持して野菜等の貯蔵物を冷蔵保存する。
【００２２】
冷凍室４及び冷蔵室３の背面にはダンパ１５を介して連通する冷気通路７（第１冷気通路）及び冷気通路８（第２冷気通路）が設けられる。冷気通路７には冷却器１１及び冷凍室送風機１２（第１送風機）が配され、冷凍室４に臨む吐出口７ａ（第１吐出口）が開口する。冷気通路８の上部には冷蔵区画２１に臨む吐出口８ａ（第２吐出口）が開口する。
【００２３】
また、低温区画２２に臨む吐出口９ａ（第３吐出口）を開口した冷気通路９が冷気通路８から分岐して設けられる。冷気通路９には冷蔵室送風機１３（第２送風機）が配される。冷蔵室送風機１３は吸気側を低温区画２２に向けて吐出口９ａに面して配置される。
【００２４】
冷凍室４には冷気を冷気通路７に戻す戻り口７ｂが冷却器１１に面して設けられる。冷蔵室３には流出口１０ａを介して野菜室５に連通する連通路１０が導出され、連通路１０の一端に野菜室５に臨む吐出口１０ｂが形成される。また、野菜室５には冷気を冷気通路７に戻す戻り口（不図示）が設けられる。
【００２５】
野菜室５の後方には機械室６が設けられ、機械室６内には冷凍サイクルを運転する圧縮機１６が設置される。圧縮機１６には冷媒が流通する冷媒管（不図示）を介して凝縮器（不図示）、キャピラリチューブ（不図示）、冷却器１１が順に接続され、圧縮機１６に戻る。これにより、冷凍サイクルが運転され、冷却器１１が冷気通路７を流通する空気と熱交換して冷気が生成される。
【００２６】
ダンパ１５を閉じて圧縮機１６及び冷凍室送風機１２を駆動すると、矢印Ａ１に示すように冷気通路７を流通する冷気が吐出口７ａを介して冷凍室４に吐出される。これにより、冷凍室４が冷却され、冷凍室４を流通した冷気は戻り口７ｂを介して冷気通路７に戻る。
【００２７】
圧縮機１６及び冷凍室送風機１２の駆動中にダンパ１５が開かれると、冷気通路７から冷気通路８に冷気が流入する。冷蔵室送風機１３を停止した状態では矢印Ａ２に示すように冷気通路８を流通する冷気は吐出口８ａを介して冷蔵区画２１に吐出される。また、矢印Ａ３に示すように冷気通路９を流通する冷気は吐出口９ａを介して低温区画２２に吐出される。これにより、冷蔵室３が冷却される。
【００２８】
冷蔵室３を流通した冷気は連通路１０を介して野菜室５に導かれ、野菜室５が冷却される。野菜室５を流通した冷気は戻り口を介して冷気通路７に戻る。この時、冷蔵室送風機１３を駆動すると、冷気通路９から低温区画２２への冷気の流入が抑制される。
【００２９】
また、ダンパ１５を閉じて冷蔵室送風機１３を駆動すると、矢印Ａ４に示すように吐出口９ａを介して低温区画２２から冷気が流出する。低温区画２２から流出した冷気は吐出口８ａから冷蔵区画２１に吐出され、冷蔵区画２１を流通してカバー２２ａと壁面との隙間を介して低温区画２２に戻る。これにより、冷蔵室３内を冷気が循環する。
【００３０】
図３は冷蔵庫１の構成を示すブロック図である。冷蔵庫１は各部を制御する制御部３０を有している。制御部３０には圧縮機１６、冷凍室送風機１２、冷蔵室送風機１３、ダンパ１５、操作パネル３１、冷凍室温度センサ３２、冷蔵室温度センサ３３、記憶部３４が接続される。
【００３１】
操作パネル３１は扉３ａの前面に配され、後述する各冷却モード等の設定操作を行う。冷凍室温度センサ３２は冷凍室４の温度を検知し、冷蔵室温度センサ３３は冷蔵室３の冷蔵区画２１の温度を検知する。記憶部３４はＲＡＭ及びＲＯＭから成り、冷蔵庫１の動作プログラムを格納するとともに制御部３０による演算の一時記憶を行う。
【００３２】
冷蔵庫１の動作プログラムには低温区画２２の設定温度の異なる第１冷却モード、第２冷却モード及び第３冷却モードが設けられる。第１冷却モードは氷点よりも高温の設定温度（本実施形態では２℃）であり、冷蔵区画２１の設定温度（本実施形態では３℃）の近傍の温度になっている。
【００３３】
第２冷却モードはチルド温度帯や氷温温度帯等の氷点近傍で第１冷却モードよりも低温の設定温度（本実施形態では−１℃）になっている。第３冷却モードは第２冷却モードよりも低温の設定温度（本実施形態では−５℃）になっている。操作パネル３１の操作によって貯蔵物に応じて各冷却モードを切り替えることにより、保存温度の異なる貯蔵物を貯蔵物に応じた温度で低温区画２２に貯蔵することができる。
【００３４】
図４（ａ）〜（ｆ）は第１冷却モードの動作の一例を示すタイムチャートである。図４（ａ）の縦軸は冷蔵室３の温度を示している。図中、Ａは冷蔵区画２１の温度であり、Ｂは低温区画２２の温度である。図４（ｂ）の縦軸は冷凍室４の温度を示している。図４（ｃ）の縦軸は圧縮機１６のオン状態とオフ状態とを示している。図４（ｄ）の縦軸は冷凍室送風機１２の回転数を示している。図４（ｅ）の縦軸はダンパ１５の開状態と閉状態とを示している。図４（ｆ）の縦軸は冷蔵室送風機１３の回転数を示している。
【００３５】
第１冷却モードでは圧縮機１６を停止してダンパ１５が閉じられた時に冷蔵室送風機１３が所定の回転数Ｎ２で駆動される。これにより、吐出口９ａを介して低温区画２２から冷気が流出し（図１の矢印Ａ４）、低温区画２２から流出した冷気が吐出口８ａから冷蔵区画２１に吐出されて冷蔵室３内を循環する。
【００３６】
時間ｔ１で冷凍室４が所定の上限温度Ｔｆ２よりも高温になると、圧縮機１６が駆動されるとともに冷凍室送風機１２が所定の回転数Ｎａで駆動される。この時、同図に示すように冷蔵区画２１が所定の上限温度Ｔｒ２よりも高温であると、ダンパ１５が開かれる。冷蔵区画２１が上限温度Ｔｒ２よりも低温の場合はダンパ１５を閉じた状態を維持し、上限温度Ｔｒ２よりも高温になるとダンパ１５が開かれる。ダンパ１５が開かれると、冷蔵室送風機１３が回転数Ｎ２よりも低い回転数Ｎ１で駆動される。
【００３７】
これにより、冷気通路７を流通する冷気が吐出口７ａを介して冷凍室４に吐出され、冷凍室４が冷却される。冷気通路８を流通する冷気は吐出口８ａを介して冷蔵区画２１に吐出され、冷蔵室３及び野菜室５が冷却される。
【００３８】
また、冷蔵室送風機１３の駆動によって低温区画２２には吐出口９ａを介して吸引力が働くため、冷気通路９から低温区画２２への冷気流入が抑制される。回転数Ｎ１が大きすぎると、冷気通路９内を冷気が逆流して冷却器１１からの冷気が吐出口８ａに供給されない。このため、本実施形態では冷蔵室送風機１３が回転数Ｎ１の時に低温区画２２に対する冷気の流入が殆ど発生せず、冷気通路９を逆流しない状態になっている。
【００３９】
時間ｔ２で冷蔵区画２１が所定の下限温度Ｔｒ１に到達すると、ダンパ１５を閉じて冷蔵室送風機１３が回転数Ｎ２に切り替えられる。時間ｔ３で冷凍室４が所定の下限温度Ｔｆ１に到達すると、圧縮機１６及び冷凍室送風機１２が停止される。
【００４０】
ダンパ１５を閉じた際に冷蔵室送風機１３を回転数Ｎ２で駆動して冷蔵室３内を冷気が循環するため、低温区画２２が昇温されて冷蔵区画２１の温度に近づけられる。この時、低温区画２２は隣接する冷凍室４の冷熱が供給されるため、冷蔵区画２１よりも低温になっている。
【００４１】
図５（ａ）〜（ｆ）は第２冷却モードの動作の一例を示すタイムチャートである。前述の図４と同様に、図５（ａ）の縦軸は冷蔵室３の温度を示している。図中、Ａは冷蔵区画２１の温度であり、Ｂは低温区画２２の温度である。図５（ｂ）の縦軸は冷凍室４の温度を示している。図５（ｃ）の縦軸は圧縮機１６のオン状態とオフ状態とを示している。図５（ｄ）の縦軸は冷凍室送風機１２の回転数を示している。図５（ｅ）の縦軸はダンパ１５の開状態と閉状態とを示している。図５（ｆ）の縦軸は冷蔵室送風機１３の回転数を示している。
【００４２】
第２冷却モードでは圧縮機１６を停止してダンパ１５が閉じられた時に冷蔵室送風機１３が回転数Ｎ２よりも低い回転数Ｎ１で駆動される。
【００４３】
第１冷却モードと同様に時間ｔ１で冷凍室４が上限温度Ｔｆ２よりも高温になると、圧縮機１６が駆動されるとともに冷凍室送風機１２が回転数Ｎａで駆動される。この時、冷蔵区画２１が上限温度Ｔｒ２よりも高温であると、ダンパ１５が開かれる。ダンパ１５を開いた際に冷蔵室送風機１３は回転数Ｎ１を維持して駆動される。
【００４４】
これにより、冷気通路７を流通する冷気が吐出口７ａを介して冷凍室４に吐出され、冷凍室４が冷却される。冷気通路８を流通する冷気は吐出口８ａを介して冷蔵区画２１に吐出され、冷蔵室３及び野菜室５が冷却される。また、冷蔵室送風機１３を回転数Ｎ１で駆動するため、冷気通路９から低温区画２２への冷気流入が抑制される。
【００４５】
時間ｔ２で冷蔵区画２１が下限温度Ｔｒ１に到達すると、ダンパ１５が閉じられる。時間ｔ３で冷凍室４が下限温度Ｔｆ１に到達すると、圧縮機１６及び冷凍室送風機１２が停止される。
【００４６】
低温区画２２は冷蔵室３の底部に配されるため冷気の自重によって前方から比較的低温の冷気が流入するとともに、隣接する冷凍室４の冷熱が供給される。また、ダンパ１５を閉じた際に冷蔵室送風機１３を低速（回転数Ｎ１）で駆動するため、冷蔵室３内を冷気が緩やかに循環する。このため、低温区画２２の昇温が抑制され、低温区画２２が第１冷却モードよりも低温に維持される。
【００４７】
尚、第２冷却モードで低温区画２２をより低温に維持するために、ダンパ１５を閉じた際に冷蔵室送風機１３を停止（回転数＝０）してもよい。
【００４８】
尚、第１冷却モードの冷蔵室送風機１３の回転数Ｎ１と第２冷却モードの冷蔵室送風機１３の回転数Ｎ１とを異なる回転数にしてもよい。また、冷蔵室送風機１３の回転数を可変しているが、冷蔵室送風機１３の風量を可変すればよく、一定の回転数でＤＵＴＹ比を可変してもよい。
【００４９】
図６（ａ）〜（ｆ）は第３冷却モードの動作の一例を示すタイムチャートである。前述の図４と同様に、図６（ａ）の縦軸は冷蔵室３の冷蔵区画２１の温度を示している。図６（ｂ）の縦軸は冷凍室４の温度を示している。図６（ｃ）の縦軸は圧縮機１６のオン状態とオフ状態とを示している。図６（ｄ）の縦軸は冷凍室送風機１２の回転数を示している。図６（ｅ）の縦軸はダンパ１５の開状態と閉状態とを示している。図６（ｆ）の縦軸は冷蔵室送風機１３の回転数を示している。
【００５０】
第３冷却モードでは圧縮機１６を停止してダンパ１５が閉じられた時に冷蔵室送風機１３が停止される。
【００５１】
時間ｔ１で冷凍室４が上限温度Ｔｆ２よりも高温になると、圧縮機１６が駆動されるとともに冷凍室送風機１２が回転数Ｎａで駆動される。この時、同図に示すように冷蔵区画２１が上限温度Ｔｒ２よりも高温であると、ダンパ１５が開かれる。ダンパ１５を開いた際に冷蔵室送風機１３は停止状態を継続する。
【００５２】
これにより、冷気通路７を流通する冷気が吐出口７ａを介して冷凍室４に吐出され、冷凍室４が冷却される。また、冷気通路８、９を流通する冷気が吐出口８ａ、９ａを介して冷蔵室３に吐出され、冷蔵室３及び野菜室５が冷却される。
【００５３】
この時、低温区画２２は冷却器１１に近いため冷蔵区画２１よりも低温の冷気が吐出される。また、低温区画２２は冷蔵室３の底部に配されるため冷気の自重によって前方から低温の冷気が流入するとともに、隣接する冷凍室４の冷熱が供給される。これにより、低温区画２２が氷点よりも低温で第２冷却モードよりも低温に維持される。
【００５４】
時間ｔ２で冷蔵区画２１が下限温度Ｔｒ１に到達すると、ダンパ１５が閉じられる。時間ｔ３で冷凍室４が下限温度Ｔｆ１に到達すると、圧縮機１６及び冷凍室送風機１２が停止される。
【００５５】
本実施形態によると、冷気通路７（第１冷気通路）と冷気通路８（第２冷気通路）とがダンパ１５を介して連通し、冷凍室４に臨む吐出口７ａ（第１吐出口）及び冷蔵区画２１に臨む吐出口８ａ（第２吐出口）がそれぞれ冷気通路７、８に設けられる。冷気通路８から分岐する冷気通路９（第３冷気通路）には低温区画２２に臨む吐出口９ａ（第３吐出口）が設けられ、冷蔵室送風機１３（第２送風機）が吸気側を低温区画２２に向けて配される。
【００５６】
また、第１冷却モードと第２冷却モードとはダンパ１５を閉じた際の冷蔵室送風機１３の駆動状態が異なる。第２冷却モードでダンパ１５を閉じて冷蔵室送風機１３を停止した場合は、第１冷却モードと冷蔵室送風機１３の駆動状態が異なる。第１冷却モードまたは第２冷却モードと第３冷却モードとはダンパ１５を閉じた際及び開いた際の冷蔵室送風機１３の駆動状態が異なる。
【００５７】
従って、ダンパ１５を閉じた際または開いた際の冷蔵室送風機１３の駆動状態が低温区画２２の設定温度に応じて可変される。これにより、簡単な構成で低温区画２２を複数の設定温度に切り替えることができ、貯蔵スペースを有効利用できるため冷蔵庫１の利便性を向上することができる。
【００５８】
また、第１冷却モードはダンパ１５を閉じた際に冷蔵室送風機１３を所定風量（回転数Ｎ２）で駆動し、ダンパ１５を開いた際に冷蔵室送風機１３を該所定風量よりも低い風量（回転数Ｎ１）で駆動する。第２冷却モードはダンパ１５を閉じた際に冷蔵室送風機１３を該所定風量よりも低い風量（回転数Ｎ１）で駆動または停止する。第３冷却モードはダンパ１５を閉じた及び開いた際に冷蔵室送風機１３を停止する。このため、第１冷却モード、第２冷却モード及び第３冷却モードによって低温区画２２の温度を容易に変更することができる。
【００５９】
＜第２実施形態＞
次に、第２実施形態について説明する。本実施形態は第１冷却モード及び第２冷却モードの動作が第１実施形態と異なっている。その他の部分は第１実施形態と同一である。
【００６０】
図７（ａ）、図７（ｂ）は本実施形態の第１冷却モードの動作の一例を示すタイムチャートである。図８（ａ）、図８（ｂ）は本実施形態の第２冷却モードの動作の一例を示すタイムチャートである。図７（ａ）及び図８（ａ）の縦軸はダンパ１５の開状態と閉状態とを示している。図７（ｂ）及び図８（ｂ）の縦軸は冷蔵室送風機１３の回転数を示している。尚、圧縮機１６、冷凍室送風機１２の動作は図４、図５と同様である。
【００６１】
第１冷却モード時及び第２冷却モード時に冷蔵室３の温度が所定の温度より低くなり、ダンパ１５を閉じた直後は低温区画２２よりも冷蔵区画２１の方が低温になる場合がある。この時、冷蔵室送風機１３が駆動されると、冷蔵区画２１が低温であるため低温区画２２が過冷却される。
【００６２】
このため、第１冷却モードでは時間ｔ２でダンパ１５が閉じられると、冷蔵室送風機１３を一旦停止して所定の遅延期間Ｔａが経過した後に冷蔵室送風機１３が回転数Ｎ２で駆動される。
【００６３】
また、第２冷却モードでは時間ｔ２でダンパ１５が閉じられると、冷蔵室送風機１３を一旦停止して所定の遅延期間Ｔａが経過した後に冷蔵室送風機１３が回転数Ｎ２で駆動される。そして、所定時間が経過した後に冷蔵室送風機１３が回転数Ｎ１で駆動される。
【００６４】
これにより、冷蔵室３内を温まった冷気が循環して冷蔵室３の底部が昇温され、低温区画２２の過冷却を防止することができる。尚、第２冷却モードの遅延期間Ｔａで冷蔵室送風機１３を低回転（回転数Ｎ１）で駆動してもよいが、高回転（回転数Ｎ２）にした方が迅速に冷蔵室３の底部を昇温できるのでより望ましい。
【００６５】
本実施形態では遅延期間Ｔａを所定の時間に設定している。ダンパ１５を閉じてから冷蔵区画２１が上限温度Ｔｒ２（ダンパ１５を開く温度）よりも低温の所定温度に昇温されるまでを遅延期間Ｔａにしてもよい。これにより、低温区画２２を昇温できない期間での冷蔵室送風機１３の高速回転をより確実に防止できる。
【００６６】
＜第３実施形態＞
次に、第３実施形態について説明する。本実施形態は第１冷却モード及び第２冷却モードの動作が第１実施形態と異なっている。その他の部分は第１実施形態と同一である。
【００６７】
第１冷却モード及び第２冷却モード時に外気温が高く高温の貯蔵物が投入された場合に、ダンパ１５を開いて冷蔵室３内に冷気が供給される状態が長時間継続する。これにより、冷気侵入を制限される低温区画２２が冷気通路８の下部を流通する低温の冷気の冷熱によって所望の温度に対して過冷却される。
【００６８】
このため、ダンパ１５を開いた状態が所定時間（例えば、５０分）継続して冷蔵区画２１が所定の強制循環温度よりも低温の場合に、所定時間（例えば、１０分）ダンパ１５を閉じて冷蔵室送風機１３が高回転（回転数Ｎ２）で駆動される。強制循環温度は冷蔵室３の下限温度Ｔｒ１（ダンパ１５を閉じる温度）に対して高温に設定される。これにより、冷蔵室３内を冷気が循環して低温区画２２が昇温され、低温区画２２の過冷却を防止することができる。
【００６９】
冷蔵区画２１が強制循環温度よりも高温の場合は、低温区画２２が過冷却になるまでに余裕があると考えられる。このため、ダンパ１５を開いた状態を継続して冷蔵室３内が急速に冷却される。
【００７０】
尚、冷蔵室送風機１３を低回転（回転数Ｎ１）で駆動してもよいが、高回転にした方が迅速に低温区画２２を昇温できるのでより望ましい。
【産業上の利用可能性】
【００７１】
本発明によると、冷蔵室内に低温区画を設けた冷蔵庫に利用することができる。
【符号の説明】
【００７２】
１    冷蔵庫
２    断熱箱体
３    冷蔵室
３ａ、４ａ、５ａ  扉
３ｂ  載置棚
３ｃ  縦仕切壁
４    冷凍室
４ｂ、５ｂ  収納ケース
５    野菜室
６    機械室
７、８、９  冷気通路
７ａ、８ａ、９ａ、１０ｂ  吐出口
７ｂ  戻り口
１０    連通路
１０ａ  流出口
１１    冷却器
１２    冷凍室送風機
１３    冷蔵室送風機
１５    ダンパ
１６    圧縮機
１７、１８  断熱壁
２１    冷蔵区画
２２    低温区画
３０    制御部
３１    操作パネル
３２    冷凍室温度センサ
３３    冷蔵室温度センサ
３４    記憶部
【図１】
0006563273.tif 000002
【図２】
0006563273.tif 000003
【図３】
0006563273.tif 000004
【図４】
0006563273.tif 000005
【図５】
0006563273.tif 000006
【図６】
0006563273.tif 000007
【図７】
0006563273.tif 000008
【図８】
0006563273.tif 000009